(57)【要約】【課題】糠受容器の取り付け忘れを防止することができる精米器を提供する。【解決手段】収納凹部７Ｂと凹溝部４８を設けた精米器本体２と、前記収納凹部７Ｂに着脱自在に収容される糠受容器３と、前記凹溝部４８と係合可能に設けられ、前記収納凹部７Ｂの開口部３９を開閉する蓋体６とを備える。また、糠受容器装着忘れ防止機構６６を備え、この糠受容装着忘れ防止機構６６が、前記糠受容器３が前記収納凹部７Ｂに装着されていない場合に、前記蓋体６が前記凹溝部４８に係合するのを規制する規制突起５３を備えるから、前記糠受容器３が収納凹部７Ｂに装着されていないと、前記糠受容器装着忘れ防止機構６６により、前記蓋体６が前記凹溝部４８に係合することができないため、前記糠受容器３の装着忘れを使用者に気付かせることができるので、前記糠受容器３の取り付け忘れを防止することができる。【選択図】図１
2015217330.tif 000002
【特許請求の範囲】
【請求項１】
収納部と蓋体受部とを備えた精米器本体と、
前記収納部に着脱可能に収容される糠受容器と、
前記蓋体受部と係合可能に設けられ、前記収納部の開口部を開閉する蓋体と、
を備えた精米器において、
糠受容器装着忘れ防止機構を備え、
前記糠受容器装着忘れ防止機構が、前記糠受容器が前記収納部に装着されていない場合に、前記蓋体が前記蓋体受部に係合することを規制する係合規制手段を備えることを特徴とする精米器。
【請求項２】
前記糠受容器装着忘れ防止機構が、
前記精米器本体に突出可能に設けられた前記係合規制手段と、
前記係合規制手段を突出方向に付勢する付勢手段と、
前記糠受容器が前記収納部に装着されていない場合に前記係合規制手段が突出し、前記蓋体が前記係合規制手段に当接して前記蓋体が前記蓋体受部に係合するのを規制することを特徴とする請求項１記載の精米器。
【請求項３】
前記蓋体が前記蓋体受部とバヨネット式に結合することを特徴とする請求項１又は２記載の精米器。
【請求項４】
前記蓋体が前記蓋体受部と係合する蓋体側係合部を備え、前記蓋体を回動することにより前記蓋体側係合部が前記蓋体受部に係合し、前記蓋体側係合部には前記係合規制手段よりも大きな挿通係止部を設け、前記挿通係止部に前記係合規制手段が挿通係止して前記蓋体側係合部が前記蓋体受部に係合するのを規制することを特徴とする請求項３記載の精米器。
【請求項５】
前記精米器本体には、蓋体検知手段とスイッチを備え、
前記蓋体が前記蓋体受部に係合した際、前記蓋体検知手段が前記スイッチをオンにすることを特徴とする請求項３又は４記載の精米器。
【発明の詳細な説明】
【技術分野】
【０００１】
本発明は、比較的少量の米を精米するのに適した家庭用の小型精米器に関する。
【背景技術】
【０００２】
従来、この種の精米器として、内部に電動機が設けられた精米器本体と、この精米器本体に着脱自在に収容される糠受容器と、この糠受容器内に着脱自在に収容されると共に米粒を通さず且つ糠を通す程度の大きさの孔を多数形成した網状部が設けられた精米容器と、この精米容器内に設けられると共に前記電動機の回転に伴って回転し前記精米容器内の米を撹拌する精米体と、前記糠受容器及び精米容器の上部を覆う蓋体とを有する精米器が知られている（例えば特許文献１）。
【先行技術文献】
【特許文献】
【０００３】
【特許文献１】特開２０１１−１８９２３９号公報
【発明の概要】
【発明が解決しようとする課題】
【０００４】
上記精米器では、電動機によって回転させられる精米体によって、精米容器内の米粒を攪拌することで、これらの米粒同士を擦り合わせ、或いは、これらの米粒を前記精米容器の側周部の網状部に擦り付けて、前記米粒の表面の糠を削り落として白米にすることができる。
【０００５】
また、精米後には、精米器本体から精米容器と糠受容器とを取り外し、糠受容器内の糠を捨てることができ、糠を捨てた後、精米器本体に糠受容器を取り付け、この糠受容器内に精米容器を取り付けることができる。
【０００６】
そして、従来の精米器では、精米器本体に糠受容器を取り付けずに使用した場合でも運転可能であるが、その場合には、精米容器が不安定な状態で精米器本体に設置されることになるため、精米容器が運転時にがたついてしまい、異音や振動が発生してしまうばかりでなく、この振動が故障の原因になってしまう虞があった。
【０００７】
また、精米の過程で米粒から分離された糠が、精米容器の網状部を通過して収納凹部に溜まったり、精米容器が不安定な状態で設置されていることにより、精米容器から米粒が飛び出して収納凹部に溜まったりして、これらの米粒や糠が本体のカップリング等に侵入し、故障の原因となる虞があった。このように、糠受容器の装着忘れは、精米器の故障に繋がる虞があった。
【０００８】
本発明は以上の問題点を解決し、糠受容器の取り付け忘れを防止することができる精米器を提供することを目的とする。
【課題を解決するための手段】
【０００９】
本発明の請求項１に記載の精米器は、収納部と蓋体受部とを備えた精米器本体と、
前記収納部に着脱可能に収容される糠受容器と、前記蓋体受部と係合可能に設けられ、前記収納部の開口部を開閉する蓋体とを備えた精米器において、糠受容器装着忘れ防止機構を備え、前記糠受容器装着忘れ防止機構が、前記糠受容器が前記収納部に装着されていない場合に、前記蓋体が前記蓋体受部に係合することを規制する係合規制手段を備えることを特徴とする。
【００１０】
また、本発明の請求項２に記載の精米器は、請求項１において、前記糠受容器装着忘れ防止機構が、前記精米器本体に突出可能に設けられた前記係合規制手段と、前記係合規制手段を突出方向に付勢する付勢手段と、前記糠受容器が前記収納部に装着されていない場合に前記係合規制手段が突出し、前記蓋体が前記係合規制手段に当接して前記蓋体が前記蓋体受部に係合するのを規制することを特徴とする。
【００１１】
更に、本発明の請求項３に記載の精米器は、請求項１又は２において、前記蓋体が前記蓋体受部とバヨネット式に結合することを特徴とする。
【００１２】
更に、本発明の請求項４に記載の精米器は、請求項３において、前記蓋体が前記蓋体受部と係合する蓋体側係合部を備え、前記蓋体を回動することにより前記蓋体側係合部が前記蓋体受部に係合し、前記蓋体側係合部には前記係合規制手段よりも大きな挿通係止部を設け、前記挿通係止部に前記係合規制手段が挿通係止して前記蓋体側係合部が前記蓋体受部に係合することを規制することを特徴とする。
【００１３】
しかも、本発明の請求項５に記載の精米器は、請求項３又は４において、前記精米器本体には、蓋体検知手段とスイッチを備え、前記蓋体が前記蓋体受部に係合した際、前記蓋体検知手段が前記スイッチをオンにすることを特徴とする。
【発明の効果】
【００１４】
本発明の請求項１に記載の精米器は、以上のように構成することにより、糠受容器が収納部に装着されていない場合、糠受容器装着忘れ防止機構により、蓋体を蓋体受部に係合させることができないため、糠受容器の装着忘れを使用者に気付かせることができると共に、蓋体を正しく閉めて精米できないため、糠受容器の取り付け忘れを防止することができる。
【００１５】
また、糠受容器が収納部に装着されていないと、付勢手段により突出した係合規制手段により、蓋体を蓋体受部に係合させることができないため、開口部を蓋体により閉めることができず、これにより糠受容器の装着忘れを使用者に気付かせることができると共に、蓋体を正しく閉めて精米できないため、糠受容器の取り付け忘れを防止することができる。
【００１６】
更に、蓋体が蓋体受部とバヨネット式に結合するから、精米器本体に糠受容器が装着されていない場合は、蓋体が蓋体受部に進入する方向に対して、その進入を阻止するように係合規制手段を突出させれば良いため、比較的簡単な構造で、精米器本体に糠受容器装着忘れ防止機構を設けることができる。
【００１７】
更に、糠受容器が装着されていない状態で、蓋体をバヨネット式に結合しようとして、係合規制手段の位置に蓋体側係合部を合わせて開口部に蓋体を被せた場合であっても、蓋体側係合部の挿通係止部に係合規制手段が係止することにより、前記蓋体側係合部を前記蓋体受部に係合することができなくなるので、糠受容器の取り付け忘れを防止することができる。
【００１８】
しかも、蓋体を蓋体受部に係合させることでスイッチがオンにならないと、即ち、糠受容器を収納部に装着して蓋体を蓋体受部に係合させないと、精米器を駆動することができなくなるので、糠受容器の取り付け忘れを防止することができる。
【図面の簡単な説明】
【００１９】
【図１】本発明の実施例１を示す精米器の分解斜視図である。
【図２】同、全体断面図である。
【図３】同、カップリング周りの拡大断面図である。
【図４】同、蓋体受部周りの斜視図である。
【図５】同、糠受容器を装着していない状態における蓋体受部周りの断面図である。
【図６】同、糠受容器を装着した状態における蓋体受部周りの断面図である。
【図７】同、蓋体を通常の使用状態から上下逆さにした状態の斜視図である。
【図８】同、糠受容器を装着していない状態における精米器本体の斜視図である。
【図９】同、糠受容器を装着した状態における精米器本体の斜視図である。
【図１０】同、防止機構ユニットの斜視図である。
【図１１】同、糠受容器を装着していない状態における開口周りの断面図である。
【図１２】同、糠受容器を装着した状態における開口部周りの断面図である。
【図１３】同、糠受容器を装着していない状態における開口部周りの平断面図であり、蓋体側係合部の状態を示す。
【図１４】同、糠受容器を装着していない状態における開口部周りの平断面図であり、蓋体側係合部の挿通係止部に係合規制手段が係止した状態を示す。
【図１５】同、糠受容器を装着した状態における開口部周りの平断面図であり、載置部により係合規制手段が押し下げられた状態を示す。
【図１６】本発明の実施例２を示し、糠受容器を装着していない状態における蓋体受部周りの縦断面図である。
【図１７】同、糠受容器を装着した状態における蓋体受部周りの縦断面図である。
【図１８】同、糠受容器を装着していない状態における精米器本体の斜視図である。
【発明を実施するための形態】
【００２０】
以下、本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００２１】
以下、本発明の実施例１について、図１〜図１５に基づいて説明する。なお、本実施例においては、図２の姿勢を基準として前後及び上下を規定し、図２の左側を前、右側を後とする。１は本発明の精米器である。この精米器１は、精米器本体２と、糠受容器３と、精米容器４と、精米体５と、蓋体６とを有して構成される。
【００２２】
前記精米器本体２は、上外殻体７とこの上外殻体７の底部を塞ぐ下外殻体８とで構成される外殻体９を有する。そして、前記上外殻体７の上部前側には取付孔７Ａが形成され、この取付孔７Ａに操作部１０が取り付けられる。また、前記上外殻体７の中央から後方には、上方が開放した有底円筒凹状の収納凹部７Ｂが設けられる。また、この収納凹部７Ｂの底部中央には、貫通孔７Ｃが形成されると共に、この貫通孔７Ｃを囲んで筒状部７Ｄが突設されている。一方、前記下外殻体８の底部には取付凹部８Ａが形成され、この取付凹部８Ａにコードリール１１が取り付けられる。また、前記下外殻体８の底部には、複数の脚取付部８Ｂが形成され、これらの脚取付部８Ｂに、それぞれゴム脚１２が取り付けられる。そして、前記外殻体９の内部には、駆動機構１３が収容される。この駆動機構１３は、金属製のフレーム１４及びベアリングケース１５と、前記フレーム１４の前部に取り付けられる電動機１６と、前記フレーム１４の後部に軸支される一次従動軸１７と、前記フレーム１４を貫通して下方に延びる前記電動機１６の回転軸に取り付けられる小プーリ１８と、前記フレーム１４を貫通して下方に延びる前記一次従動軸１７の下端に取り付けられる大プーリ１９と、これらの小プーリ１８と大プーリ１９との間に掛け渡される無端状の駆動ベルト２０と、前記ベアリングケース１５を貫通して上方に延びる前記一次従動軸１７の上端に取り付けられる一次接続部２１とを有して構成される。なお、前記フレーム１４の後部には、凹状の軸受嵌入部１４Ａが形成されると共に、この軸受嵌入部１４Ａを覆うようにして、前記フレーム１４の上面に前記ベアリングケース１５が取り付けられる。そして、このベアリングケース１５の中央上部には、凹状の軸受嵌入部１５Ａが形成され、この軸受嵌入部１５Ａにベアリング２２が嵌入固定されると共に、前記軸受嵌入部１４Ａにも別のベアリング２３が嵌入固定される。そして、これらの上下一対のベアリング２２，２３により、前記フレーム１４を貫通する前記一次従動軸１７は、その中心軸が垂直方向となるように回動自在に軸支される。また、前記一次接続部２１は、前記貫通孔７Ｃから前記収納凹部７Ｂ内に露出する。
【００２３】
前記収納凹部７Ｂには、米から取り除かれる糠を受けるための前記糠受容器３が着脱可能に挿入される。この糠受容器３は、ほぼ有底円筒状に形成され、その底部３Ａの中央には、前記収納凹部７Ｂの貫通孔７Ｃに対応してこの貫通孔７Ｃと同軸的に貫通孔３Ｂが形成されると共に、この貫通孔３Ｂから上方に延びて前記一次接続部２１と後述する二次接続部３１の外周を覆うように、筒状部３Ｃが形成される。また、前記糠受容器３は、底部３Ａの周囲から立ち上がる断面円形の周面部３Ｄを一体に有する。
【００２４】
そして、前記糠受容器３には、米を収容するための前記精米容器４が着脱可能に挿入される。この精米容器４は、網状部２４と、この網状部２４の下部に固定された底部材２５と、前記網状部２４の上部に固定された上縁部材２６と、前記網状部２４の底部の内側に設けられた円板部２７とを有して構成される。前記網状部２４は、略円筒状の側周部２４Ａと、底部２４Ｂと、これらを滑らかに接続する湾曲部２４Ｃとを有して構成される。なお、前記底部材２５の中央には、上方に突出した軸受筒部２５Ａが形成されると共に、その上端には軸孔２５Ｂが形成される。また、前記底部材２５には、前記精米容器４を前記糠受容器３に対して位置決めすると共に、取り除かれた糠等が前記貫通孔７Ｃから前記精米器本体２内に侵入するのを防ぐための、短円筒状に形成された筒状部２５Ｃが設けられる。そして、前記軸孔２５Ｂを貫通して、二次従動軸２９が、その中心軸が垂直となるように、前記軸受筒部２５Ａに対して回動自在に軸支される。更に、前記二次従動軸２９の上端には、断面が正六角形となる係合軸部３０が取り付けられると共に、前記二次従動軸２９の下端には、前記一次接続部２１に対応して二次接続部３１が取り付けられる。そして、前記一次接続部２１と二次接続部３１とで、前記一次従動軸１７の回転を前記二次従動軸２９に伝達するカップリング３２が構成される。一方、前記上縁部材２６には、弦状の把持部３３が揺動自在に取り付けられる。
【００２５】
前記精米容器４内の二次従動軸２９の係合軸部３０には、前記精米容器４内の米を撹拌する前記精米体５が着脱可能に取り付けられる。この精米体５は、前記係合軸部３０に係合した状態では、前記精米容器４の内部に位置する。そして、前記精米体５は、前記係合軸部３０に係合した状態で、この係合軸部３０、ひいては前記二次従動軸２９と同軸となる軸体３４と、この軸体３４の下部からこの軸体３４の軸方向に対して放射方向に突出して設けられた一対の撹拌部としての棒状体３５とで構成される。なお、前記係合軸部３０に対応して、断面が正六角形となる係合孔部３６が前記軸体３４に形成されることで、この軸体３４は、前記係合軸部３０、ひいては前記二次従動軸２９に対して回り止めされた状態で係合される。また、前記棒状体３５は、ステンレス鋼等によって円柱状に形成される。
【００２６】
なお、本実施例の精米器１では、最小精米量は約０．１８Ｌ（１合）、最大精米量は約０．７２Ｌ（４合）である。
【００２７】
更に、前記収納凹部７Ｂ、糠受容器３及び精米容器４の上部を覆うように、前記蓋体６が着脱可能に取り付けられる。なお、この蓋体６は、前記精米容器４の内部が視認できるように、全体が透明な合成樹脂によって構成される。また、蓋体６の上面には直径方向の把持部６Ａが形成され、この把持部６Ａを使って蓋体６を持ったり、回したりすることができる。
【００２８】
前記収納凹部７Ｂは、前記糠受容器３を収納する収納部であって、前記収納凹部７Ｂは、上部に開口部３９を有し、この開口部３９に前記蓋体６が着脱可能に取り付けられる。そして、前記糠受容器３は、前記開口部３９から前記収納凹部７Ｂに着脱可能に収納される。
【００２９】
前記精米器本体２は、略平坦な上面部４０を有し、この上面部４０に前記開口部３９を設けている。この開口部３９には、前記上面部４０より一段低い上段差面４１と、この上段差面４１より一段低い中段差面４２と、この中段差面４２より一段低い下段差面４３とが設けられている。それら上段差面４１，中段差面４２及び下段差面４３は同芯円のリング状をなし、上段差面４１より中段差面４２が径小に形成され、中段差面４２より下段差面４３が径小に形成されている。また、中段差面４２及び下段差面４３の直径方向の幅は略同一で、これら中段差面４２及び下段差面４３の直径方向の幅より前記上段差面４１の直径方向の幅が幅広に形成されている。なお、各段差面は段差の上面であり、上面部４０，段差面４１，４２，４３の間には円筒状の内周面が形成されている。
【００３０】
また、前記開口部３９の左右には、前記精米器本体２の左右側面を切り欠いて係合凹部４４，４４が形成され、これらの係合凹部４４は、前記収納凹部７Ｂ内に連通する。また、前記係合凹部４４に係合する係合部たる取手４５，４５が、前記糠受容器３の上部左右に設けられている。
【００３１】
前記係合凹部４４の底部４４Ｔの高さ位置は、前記中段差面４２と下段差面４３の間に位置し、前記底部４４Ｔに連続して周方向一側に中間段差面４６が形成され、この中間段差面４６は前記底部４４Ｔとほぼ同一高さに形成されている。前記中間段差面４６の周方向一側には、一段高い係合段差面４７が形成され、この係合段差面４７は前記中段差面４２と同一高さをなし、前記係合段差面４７と前記上段差面４１との間に蓋体受部たる凹溝部４８が形成されており、係合段差面４７の周方向の他側端部４７Ａより上段差面４１の周方向の他側端部４１Ａが周方向一側に位置している。なお、凹溝部４８の上面は、上面に前記上段差面４１を有する円弧状の板片部４９の下面であり、凹溝部４８の下面は、前記係合段差面４７である。
【００３２】
そして、前記凹溝部４８により蓋体受部を構成し、前記凹溝部４８の周方向他側には、前記係合段差面４７にクリック用の突起部５１を設け、その周方向一側で前記係合段差面４７には、後述するスイッチ７７を操作する操作部５２が出没自在に設けられ、この操作部５２により蓋体検知手段を構成している。前記突起部５１の先端は略半球状をなし、図示しない付勢手段により上方に付勢されている。なお、図４中、４８Ｔは凹溝部４８の周方向一側の端部である。
【００３３】
また、前記中間段差面４６には、係合規制手段たる規制突起５３が、前記係合段差面４７の高さ位置に対して上下に出没自在に設けられている。前記規制突起５３は、上下方向に長い杆状をなしている。そして、前記中間段差面４６に貫通孔５４を穿設し、この貫通孔５４に前記規制突起５３を挿通し、この規制突起５３を付勢手段たるコイルバネ５５により上方に付勢し、付勢された状態で規制突起５３の上端は前記係合段差面４７より上方に位置する。
【００３４】
前記糠受容器３の前記取手４５は、取手本体５６と、前記中間段差面４６に載置される板状の載置部５７とを備え、複数である一対の前記取手４５，４５が前記係合凹部４４，４４に対応して点対称の位置にそれぞれ設けられている。そして、両側の前記係合凹部４４，４４に両側の前記取手本体５６，５６を上方から嵌め入れるようにして前記収納凹部７Ｂに前記糠受容器３を収容すると、前記載置部５７が前記規制突起５３を押し下げ、図６に示すように、前記載置部５７の上面と前記係合段差面４７とが略面一となる。なお、同図に示すように、前記係合凹部４４の周方向の幅と前記取手本体５６の周方向の幅は略同一である。
【００３５】
また、前記精米器本体２に前記糠受容器３を装着した状態で、前記取手本体５６の周方向一側面５６Ａと前記凹溝部４８の前記上段差面４１との間に、前記蓋体６の蓋体側係合部６１を上方から挿入可能な挿通溝部５８が縦設されている。また、前記取手本体５６の上部には、前記上段差面４１に連続する蓋体側上段差面４１Ｆが形成され、さらに、前記取手本体５６の上面は前記精米器本体２の上面部４０と同一高さとなる。また、前記係合凹部４４の外側下部には、前記精米器本体２の外面に操作用凹部４４Ｓが形成される。そして、前記精米器本体２に糠受容器３を装着した状態で、前記取手本体５６の下部に前記操作用凹部４４Ｓが位置し、この操作用凹部４４Ｓに手を差し入れて前記取手本体５６の下部を手で持つことができる。
【００３６】
前記蓋体６の周囲には、前記上段差面４１に載置する周縁部６０が設けられる。また、前記蓋体６には、前記周縁部６０の下部に一対の前記蓋体側係合部６１が設けられ、これら一対の蓋体側係合部６１，６１が周方向において点対称となる位置に設けられている。図７に示すように、前記蓋体側係合部６１は、板片を外周側に突設してなり、バヨネット式に前記蓋体側係合部６１を前記挿通溝部５８から前記凹溝部４８の高さまで下げ、ここから前記蓋体６を右回りに回動させることにより、前記蓋体側係合部６１が前記凹溝部４８に係入して上方への抜け止めがなされた状態となる。なお、図７に示した前記蓋体６は、説明のために、通常の使用状態と上下を逆さにした状態の図を示している。
【００３７】
そして、前記係合凹部４４，４４及び凹溝部４８，４８等は、前記開口部３９の中心に対して対称の位置にあり、また、前記取手４５，４５は、前記糠受容器３の中心に対して対称の位置にあり、前記蓋体側係合部６１，６１は、前記蓋体６の中心に対して対象の位置にある。
【００３８】
従って、前記係合凹部４４，４４に対して、何れの取手４５，４５を合わせても係合することができ、前記糠受容器３を装着した状態で、前記挿通溝部５８，５８に対して、何れの蓋体側係合部６１，６１を合わせても係合することができる。なお、後述する防止機構ユニットは、一方の前記凹溝部４８のみに設けられている。
【００３９】
また、前記蓋体側係合部６１の下面６１Ｋの周方向一側には、周方向一側に向かって高くなる傾斜案内面６２が設けられている。また、前記下面６１Ｋの周方向他側には、前記突起部５１が係入する係入凹部６３が形成されている。
【００４０】
また、前記蓋体側係合部６１には、その外縁を切り欠いた切り欠き溝状の挿通係止部６４が設けられ、この挿通係止部６４の両側には前記規制突起５３に当接する当接部６５，６５Ａがそれぞれ設けられている。なお、この例では切欠き状の挿通係止部６４を示したが、前記規制突起５３が遊挿可能な貫通孔により挿通係止部を構成してもよい。
【００４１】
そして、前記精米器本体２に前記糠受容器３を装着しない状態で、前記蓋体側係合部６１を前記係合凹部４４に合わせて、前記開口部３９に前記蓋体６を被せ、この蓋体６を周方向一側である右回りに回すと、図１３に示すように、前記当接部６５が前記規制突起５３に当接するので、前記凹溝部４８に蓋体側係合部６１を係合させることができない。また、前記蓋体側係合部６１を前記凹溝部４８の周方向他側、即ち挿通溝部５８の位置に合わせて前記開口部３９に前記蓋体６を被せると、図１４に示すように、前記挿通係止部６４内に前記規制突起５３が位置することになり、蓋体６を周方向一側である右回りに回すと、前記当接部６５Ａが前記規制突起５３に当接するので、前記凹溝部４８に蓋体側係合部６１を係合させることができない。
【００４２】
なお、周方向一側の前記当接部６５の周方向の幅は、前記規制突起５３の周方向の幅より狭く形成されており、前記蓋体６を前記開口部３９に装着する際、幅狭な前記当接部６５では前記規制突起５３を押し下げ難く、これにより前記糠受容器３を装着しない状態では、前記当接部６５が前記規制突起５３の周方向一側又は他側になるように、前記蓋体６が前記開口部３９に被せられる。仮に、前記当接部６５が前記規制突起５３を押し下げたとしても、前記当接部６５は、前記蓋体６を周方向一側である右回りに回すことで、前記規制突起５３から外れる。そして、前記規制突起５３は、前記コイルバネ５５によって上方に押し上げられて前記挿通係止部６４に入る。これによって、当接部６５Ａが前記規制突起５３に当接し、前記蓋体６のこれ以上の回動が阻止される。
【００４３】
そして、前記規制突起５３と、付勢手段たる前記コイルバネ５５等により、糠受容器装着忘れ防止機構６６を構成している。なお、前記精米器本体２は一対の前記凹溝部４８，４８を備え、一方の凹溝部４８側に前記糠受容器装着忘れ防止機構６６が設けられる。
【００４４】
図１０は前記糠受容器装着忘れ防止機構６６を備えた防止機構ユニット７１を示す。この防止機構ユニット７１は、ユニット本体７２に前記係合段差面４７の一部を構成する段差面構成部７３を設け、この段差面構成部７３の一側にスイッチ７７の前記操作部５２を配置し、他側に前記突起部５１を配置する。前記操作部５２は揺動体７５に一体に設けられ、この揺動体７５を軸部７６により前記ユニット本体７２に回動可能に設ける。また、前記ユニット本体７２に前記スイッチ７７を設け、このスイッチ７７の作動片７７Ａを前記揺動体７５の作動部７５Ａの位置に配置している。なお、前記操作部５２の周方向他側には、その上面が周方向他側に向かって低くなる傾斜案内面５２Ａが設けられる。
【００４５】
従って、前記操作部５２を下方に押すと、前記揺動体７５が回動し、この揺動体７５の作動部７５Ａが前記作動片７７Ａを押し、前記スイッチ７７がオンとなる。一方、前記操作部５２を押さない状態では、前記操作部５２の内部に設けられた図示しない付勢手段の付勢により、前記揺動体７５が他方向に回動し、前記段差面構成部７３の上に前記操作部５２が突出した状態となる。なお、前記精米器１は前記スイッチ７７がオンになっていることを条件として通電が可能となって駆動し、前記スイッチ７７がオフ状態では通電されない。
【００４６】
図４に示すように、前記係合段差面４７には挿通孔７８が設けられ、前記防止機構ユニット７１を前記精米器本体２内に取り付けた状態で、前記挿通孔７８に前記段差面構成部７３が挿入配置され、この段差面構成部７３の上面と係合段差面４７とが略面一となる。また、前記中間段差面４６の前記貫通孔５４に、前記規制突起５３の上部が挿通される。
【００４７】
なお、前記ユニット本体７２には、複数の固定手段挿通部７９が設けられており、前記精米器本体２の外殻体９の内部に設けたボス（図示せず）に、前記固定手段挿通部７９を挿通した固定手段たるビス（図示せず）を螺合することにより、前記精米器本体２に前記糠受容器装着忘れ防止機構６６が装備される。
【００４８】
次に、上記構成の作用について説明する。まず使用者は、前記精米容器４の二次従動軸２９の係合軸部３０に前記精米体５を取り付けた後、前記精米容器４内に所定量の米を収容する。また、前記糠受容器３を前記精米器本体２の収納凹部７Ｂに取り付ける。この際、前記カップリング３２を構成する前記一次接続部２１は、前記筒状部７Ｄから上方が露出すると共に、前記筒状部３Ｃによって外周側方が覆われる。そして、前記精米体５が取り付けられると共に米が収容された前記精米容器４を、前記糠受容器３の内側に装着する。この際、前記カップリング３２を構成する前記二次接続部３１が前記筒状部３Ｃ内に挿入されて前記一次接続部２１と係合すると共に、前記筒状部２５Ｃが前記筒状部７Ｄの上部外側を覆うように外嵌状態で装着されることで、前記精米容器４が前記糠受容器３に対して位置決めされる。
【００４９】
そして、前記精米器本体２に前記糠受容器３を装着すると、前記取手本体５６が前記係合凹部４４に係入すると共に、前記載置部５７により前記規制突起５３が押し下げられ、図６に示すように、前記載置部５７の上面と前記係合段差面４７とが略面一となる。更に、前記収納凹部７Ｂの上部の開口部３９を前記蓋体６によって閉じた後、前記コードリール１１から図示しないコードを引き出して、同じく図示しない交流電源に接続し、前記操作部１０を操作して電源を投入する。
【００５０】
前記開口部３９を前記蓋体６によって閉じる場合、上述したように、前記糠受容器３を装着することにより、図９に示すように、前記挿通溝部５８，５８が形成され、これら挿通溝部５８，５８に前記蓋体側係合部６１，６１を合わせ、前記蓋体６を前記開口部３９に被せ、前記周縁部６０の下面を前記上段差面４１に重ねると、前記蓋体側係合部６１が前記凹溝部４８の高さに合った位置となる。ここから前記蓋体６を一側方向である右回りに回すと、前記蓋体側係合部６１の一方の当接部６５が前記突起部５１を乗り越え、さらに回すと、前記当接部６５の傾斜案内面６２が前記操作部５２の傾斜案内面５２Ａに当接し、前記操作部５２がスムーズに押し下げられる。また、前記蓋体６を所定位置まで回すと、他方の前記当接部６５Ａの係入凹部６３に前記突起部５１が係入してクリック感が得られると共に、前記係入凹部６３と前記突起部５１の係合により、前記蓋体６が位置決めされる。このようにして、前記蓋体６の蓋体側係合部６１が前記凹溝部４８に係合することにより、前記操作部５２が押し下げられ、前記揺動体７５が回動し、該揺動体７５の前記作動部７５Ａが前記作動片７７Ａを押し、前記スイッチ７７がオンとなり、電源を投入することができる。
【００５１】
なお、前記周縁部６０の下面を前記上段差面４１に重ねると、図２等に示すように、前記周縁部６０の上面と前記精米器本体２の上面部４０とは略面一となる。また、前記蓋体６には、その周縁部側に一対の印９１，９１を設け、この印９１に対応して、前記精米器本体２の上面部４０に印９２，９２Ａを設け、一方の印９２に前記印９１を合わせた位置が、前記蓋体側係合部６１を前記挿通溝部５８に合わせた位置であり、他方の印９２Ａに前記印９１を合わせた位置が、前記蓋体側係合部６１が前記凹溝部４８に係入した位置である。
【００５２】
次に、前記精米容器４に収容された米の量や目標精米度に基づいて前記操作部１０を操作することで、前記電動機１６の制御パラメータが変更される。詳述すると、米の量の多少及び目標精米度によって、前記電動機１６、即ち前記精米体５の回転数が図示しない制御回路によって制御される。即ち、前記制御回路は、米の量が多いほど前記精米体５の回転数が高く、米の量が少ないほど前記精米体５の回転数が低くなるように、前記電動機１６の回転数を制御する（２０００〜３０００回転／分）。また、前記制御回路は、目標精米度が高いほど前記精米体５の駆動時間が長く、目標精米度が低いほど前記精米体５の駆動時間が短くなるように、前記電動機１６の駆動時間を制御する。なお、このような回転数や駆動時間は、米の量と精米度を指定することによって、算出されるか、或いはデータテーブルから読み出される。
【００５３】
このようにして、精米量や目標精米度を考慮した前記電動機１６の制御パラメータを算出した或いは読み込んだ後、前記操作部１０を操作すると、前記制御回路からの制御信号により駆動回路を介して電動機１６が駆動される。そして、前記電動機１６の駆動力は、前記小プーリ１８から駆動ベルト２０、大プーリ１９、一次従動軸１７、カップリング３２、及び二次従動軸２９を経て、前記精米体５を回転させる。なお、前記精米体５は、前記小プーリ１８と大プーリ１９の半径の比率によって、前記電動機１６の回転数に対して所定の減速比で減速されて回転する。そして、前記精米体５を回転させることで、前記精米容器４内の米が攪拌されると共に前記精米体５の回転に連れ回ることで、米の粒同士が擦れ合い、又は米の粒と前記精米容器４とが擦れ合い、これによって米は精米される。なお、米の粒は、前記精米容器４内において、円柱状の前記棒状体３５をスムーズに乗り越えるように、或いは円柱状の前記棒状体３５をスムーズにくぐり抜けるように動く。このため、米が必要以上に激しく動かないので、摩擦や衝突による米の温度上昇を低く抑えることができる。そして、米の温度上昇が抑えられることで、米の水分の減少量を低く抑え、砕米の発生を低く抑えることができるばかりでなく、熱による酸化も抑えられるので、食味の劣化も抑えることができる。また、前記棒状体３５が比較的太い円柱状であり、回転方向前端が鈍いため、前記棒状体３５が米の粒に衝突した際に、この米の粒の局所に衝撃が集中しないので、砕米の発生を低く抑えることができる。
【００５４】
米から擦り取られた糠は、前記精米容器４の網状部２４から排出され、前記糠受容器３内に貯められる。そして、前記底部材２５に設けられた前記筒状部２５Ｃが前記筒状部３Ｃの上部外側を覆うように装着されることで、糠等が前記貫通孔７Ｃから前記精米器本体２内に侵入することが防止される。
【００５５】
このようにして精米が終了したら、前記蓋体６を他側方向である左回りに回して前記開口部３９から取り外し、次に、前記精米体５及び精米容器４を取り外す。この後、両側の前記取手本体５６，５６を用いて前記糠受容器３を取り外し、内部に溜まった糠を捨てる。
【００５６】
再度、精米を行うには、取り外しとは逆の手順で、前記精米器本体２に前記糠受容器３，精米容器４，精米体５を装着する。この装着の際に、前記糠受容器３を戻し忘れ、図１３に示すように、前記糠受容器３を装着しない状態で前記精米容器４と精米体５を前記精米器本体２に取り付けた場合、前記規制突起５３は突出したままとなる。そして、この状態で前記開口部３９に前記蓋体６を被せると、前記規制突起５３は、前記当接部６５の周方向一側又は挿通係止部６４内に位置する。前記規制突起５３が蓋体側係合部６１の周方向一側に位置する場合は、前記蓋体６を周方向一側に回すと、前記蓋体側係合部６１の一方の当接部６５が前記規制突起５３に当接して、これ以上前記蓋体６を回すことができず、前記蓋体側係合部６１を前記凹溝部４８に係入することができない。
【００５７】
一方、前記凹溝部４８側に蓋体側係合部６１を合わせて、前記開口部３９に前記蓋体６を被せると、図１４に示すように、前記蓋体側係合部６１の挿通係止部６４内に前記規制突起５３が挿通される。この状態で前記蓋体６を周方向一側である右回りに回すと、他方の前記当接部６５Ａが前記規制突起５３に当接して、これ以上前記蓋体６を回すことができず、前記蓋体側係合部６１を前記凹溝部４８に係入することができない。
【００５８】
このようにして、前記精米器本体２に前記糠受容器３を装着し忘れた状態では、前記蓋体６が正しく取り付けられないことにより、前記糠受容器３のセット忘れを使用者に気付かせることができる。更に、前記蓋体側係合部６１が前記凹溝部４８に係入していない状態で、使用者が前記蓋体６を被せ、前記精米器１を駆動しようとしても、電源が入らないため、前記糠受容器３を装備することなく、精米を行うことができない。また、前記蓋体６が前記凹溝部４８とバヨネット式に結合するから、前記蓋体６の前記蓋体側係合部６１が前記凹溝部４８に進入する方向に対して、その進入を阻止するように前記貫通孔５４より前記規制突起５３を突出させれば良いため、比較的簡単な構造で、精米器本体２に糠受容器装着忘れ防止機構６６を設けることができる。
【００５９】
以上のように本発明は、収納部たる収納凹部７Ｂと蓋体受部たる凹溝部４８を設けた精米器本体２と、前記収納凹部７Ｂに着脱可能に収容される糠受容器３と、前記凹溝部４８と係合可能に設けられ、前記収納凹部７Ｂの開口部３９を開閉する蓋体６と、を備えた精米器において、糠受容器装着忘れ防止機構６６を備え、この糠受容器装着忘れ防止機構６６が、前記糠受容器３が前記収納凹部７Ｂに装着されていない場合に、前記蓋体６が前記凹溝部４８に係合することを規制する係合規制手段たる規制突起５３を備えるから、前記糠受容器３が前記収納凹部７Ｂに装着されないと、前記糠受容器装着忘れ防止機構６６により、前記蓋体６が前記凹溝部４８に係合することができないため、前記糠受容器３の装着忘れを使用者に気付かせることができると共に、前記蓋体６を正しく閉めて精米できないため、前記糠受容器３の取り付け忘れを防止することができる。
【００６０】
また、前記糠受容器装着忘れ防止機構６６が、前記精米器本体２に突出可能に設けられた前記係合規制手段たる規制突起５３と、この規制突起５３を突出方向に付勢する付勢手段たるコイルバネ５５と、前記糠受容器３が前記収納凹部７Ｂに装着されていない場合に前記規制突起５３が突出し、前記蓋体６が前記規制突起５３に当接して前記蓋体６が前記凹溝部４８に係合するのを規制することから、前記糠受容器３が前記収納凹部７Ｂに装着されていないと、前記コイルバネ５５により突出した前記規制突起５３により、前記蓋体６が前記凹溝部４８に係合することができないため、前記開口部３９を前記蓋体６により閉めることができず、これにより前記糠受容器３の装着忘れを使用者に気付かせることができると共に、前記蓋体６を正しく閉めて精米できないため、前記糠受容器３の取り付け忘れを防止することができる。
【００６１】
更に、前記蓋体６が前記凹溝部４８とバヨネット式に結合するから、前記精米器本体２に前記糠受容器３が装着されていない場合は、前記蓋体６の前記蓋体側係合部６１が前記凹溝部４８に進入する方向に対して、その進入を阻止するように前記貫通孔５４より前記規制突起５３を突出させれば良いため、比較的簡単な構造で、前記精米器本体２に前記糠受容器装着忘れ防止機構６６を設けることができる。
【００６２】
更に、前記蓋体６が蓋体受部たる前記凹溝部４８と係合する前記蓋体側係合部６１を備え、前記蓋体６を回動することにより前記蓋体側係合部６１が前記凹溝部４８に係合し、前記蓋体側係合部６１には係合規制手段たる前記規制突起５３よりも大きな挿通係止部６４を設け、この挿通係止部６４に前記規制突起５３が挿通係止して前記蓋体側係合部６１が前記凹溝部４８に係合することを規制するから、前記糠受容器３が装着されていない状態で、前記蓋体６をバヨネット式に結合しようとして、前記規制突起５３の位置に前記蓋体側係合部６１を合わせて前記開口部３９に前記蓋体６を被せると、前記蓋体側係合部６１の挿通係止部６４に前記規制突起５３が係止することにより、前記蓋体側係合部６１を前記凹溝部４８に係合することができなくなるので、前記糠受容器３の取り付け忘れを防止することができる。
【００６３】
しかも、前記精米器本体２には、蓋体検知手段たる操作部５２とスイッチ７７を備え、前記蓋体６が前記凹溝部４８に係合した際、前記操作部５２が押し下げられ、前記操作部５２が前記スイッチ７７をオンにするから、前記蓋体６が前記凹溝部４８に係合すると、前記スイッチ７７がオンになる。そして、前記スイッチ７７がオンの条件で前記精米器１を駆動するように構成することにより、前記スイッチ７７がオンにならないと前記精米器１を駆動することができないので、前記糠受容器３を装着しないと、前記精米器１が駆動しないようにすることができるため、より製品の安全性を向上することができる。
【００６４】
また、実施例上の効果として、係合段差面４７より一段低い中間段差面４６に前記規制突起５３を出没自在に設けたから、取手４５の載置部５７により、前記規制突起５３を確実に押し下げることができる。また、この際、係合凹部４４に取手本体５６を係合することにより、前記規制突起５３の位置に前記載置部５７が正しく位置合わせされる。また、前記規制突起５３が前記係合段差面４７の高さ位置に対して上下に出没自在に設けられ、この規制突起５３を付勢手段たる前記コイルバネ５５により上方に付勢されていることにより、前記収納凹部７Ｂに前記糠受容器３を収容するときに、前記載置部５７が前記規制突起５３を押し下げやすいため、比較的簡単な構造で、精米器本体２に糠受容器装着忘れ防止機構６６を設けることができる。さらに、前記係合凹部４４に前記取手本体５６を係合させると、前記蓋体側係合部６１を上下方向に挿通すると共に、前記凹溝部４８と連通する縦方向の挿通溝部５８が形成される。また、前記糠受容器装着忘れ防止機構６６の主要部品を防止機構ユニット７１に組み込んだから、組み立てが容易となる。更に、前記蓋体６を回すと、当接部６５の傾斜案内面６２が操作部５２の傾斜案内面５２Ａに係合し、前記操作部５２をスムーズに押し下げることができる。また、前記蓋体６を所定位置まで回すと、他方の当接部６５Ａの係入凹部６３に突起部５１が係入してクリック感が得られると共に、前記係入凹部６３と突起部５１の係合により前記蓋体６を位置決めすることができる。更に、前記規制突起５３は、上下方向に進退し、上方に向かって突出するから、前記精米器本体２に組み込み易い構造となり、また、突出した状態を視認し易く、視覚的にも前記糠受容器３の装着忘れを告知することができる。この場合、前記規制突起５３の先端を他の異なる色にすることにより、一層、告知効果が向上する。
【実施例２】
【００６５】
図１６〜図１８は本発明の実施例２を示し、上記実施例１と同一部分に同一符号を付し、その説明を省略して詳述する。同図は係合規制手段と糠受容器３の変形例を示す。収納凹部７Ｂの上部には外周側に凹んだ受凹部８１を縦設し、受凹部８１は収納凹部７Ｂの中心に対して対称の位置にそれぞれ設けられる。一方の前記受凹部８１の下部に縦長の挿通孔８２を設け、この挿通孔８２に横方向の作動片８３を挿通してこの作動片８３の先端を前記収納凹部７Ｂ内に突設し、前記作動片８３の基端を前記規制突起５３の下部に一体に設けている。
【００６６】
また、糠受容器３の周面部３Ｄには、前記受凹部８１，８１に対応して、外周側に突出した操作凸部８４，８４を形成し、これら操作凸部８４，８４の下部に、前記作動片８３を押し下げる操作部８５，８５が設けられる。
【００６７】
そして、開口部３９の上から前記収納凹部７Ｂ内に前記糠受容器３を挿入すると、前記受凹部８１，８１に前記操作凸部８４，８４が係入し、装着すると、図１７に示すように、前記操作部８５により作動片８３が押し下げられ、前記規制突起５３が下がり、前記凹溝部４８内に蓋体側係合部６１が係入可能となる。
【００６８】
一方、糠受容器３を装着しないと、図１６に示すように、前記規制突起５３の先端が貫通孔５４の上部に突出し、凹溝部４８内に前記蓋体側係合部６１を係入することができなくなる。なお、この例においても、突起部５１を備えていてもよい。
【００６９】
以上のように本実施例では、糠受容器装着忘れ防止機構６６が、精米器本体２に突出可能に設けられた係合規制手段たる規制突起５３と、この規制突起５３を突出方向に付勢する付勢手段たるコイルバネ５５と、糠受容器３が収納凹部７Ｂに装着されていない場合に前記規制突起５３が突出し、蓋体６が前記規制突起５３に当接して前記蓋体６が凹溝部４８に係合することを規制することから、上記実施例１と同様な作用・効果を奏する。
【００７０】
また、実施例上の効果として、前記規制突起５３を前記凹溝部４８内の係合段差面４７に設けたから、中間段差面４６，載置部５７及び挿通係止部６４を設ける必要がなくなる。
【００７１】
なお、本発明は以上の実施例に限定されるものではなく、発明の要旨の範囲内で種々の変形実施が可能である。例えば、上記実施例では、着脱式の蓋体を例にして説明したが、ヒンジにより開閉する蓋体にも適用可能である。ヒンジにより開閉する蓋体に本発明を適用する場合は、蓋体がヒンジを軸にして上下動するため、例えば、蓋体が蓋体受部に進入する方向、即ち下方向に対して、その進入を阻止するように規制手段を突出させれば、上記実施例と同様に蓋体を正しく閉めることができず、糠受容器の取り付け忘れを防止することができる。また、上記実施例では、家庭用の精米器を例に説明したが、業務用精米器にも適用可能である。
【符号の説明】
【００７２】
１  精米器
２  精米器本体
３  糠受容器
４  精米容器
５  精米体
６  蓋体
７Ｂ  収納凹部（収納部）
３９  開口部
４８  凹溝部（蓋体受部）
５２  操作部（蓋体検知手段）
５３  規制突起（係合規制手段）
５４  貫通孔
５５  コイルバネ（付勢手段）
６１  蓋体側係合部
６６  糠受容器装着忘れ防止機構
７７  スイッチ
【図１】
2015217330.tif 000003
【図２】
2015217330.tif 000004
【図３】
2015217330.tif 000005
【図４】
2015217330.tif 000006
【図５】
2015217330.tif 000007
【図６】
2015217330.tif 000008
【図７】
2015217330.tif 000009
【図８】
2015217330.tif 000010
【図９】
2015217330.tif 000011
【図１０】
2015217330.tif 000012
【図１１】
2015217330.tif 000013
【図１２】
2015217330.tif 000014
【図１３】
2015217330.tif 000015
【図１４】
2015217330.tif 000016
【図１５】
2015217330.tif 000017
【図１６】
2015217330.tif 000018
【図１７】
2015217330.tif 000019
【図１８】
2015217330.tif 000020